(57)【要約】【課題】調整動作の実施による生産性の低下を抑制し、画質維持及び部材保護を行うことができる画像形成装置を提供する画像形成装置を提供する。【解決手段】印刷ジョブを受信する受信手段と、画像形成処理の実行中に、印刷ジョブの実行を待機または中断させて画像形成処理を継続するための調整動作を行う調整動作手段と、画像形成処理の実行中に、調整動作を要求する調整動作制御部と、画像形成処理の実行中に、印刷ジョブの後続の印刷情報を取得する先読み情報取得部と、を備え、調整動作制御部が調整動作の要求を発した際に、調整動作手段が先読み情報取得部が取得した後続の前記印刷情報に基づいて、調整動作を行う。【選択図】図４
2014077828.tif 000002
【特許請求の範囲】
【請求項１】
印刷ジョブを受信する受信手段と、
画像形成処理の実行中に、前記印刷ジョブの実行を待機または中断させて前記画像形成処理を継続するための調整動作を行う調整動作手段と、
前記画像形成処理の実行中に、前記調整動作を要求する調整動作制御部と、
前記画像形成処理の実行中に、前記印刷ジョブの後続の印刷情報を取得する先読み情報取得部と、を備え、
前記調整動作制御部が前記調整動作の要求を発した際に、前記調整動作手段が前記先読み情報取得部が取得した前記後続の前記印刷情報に基づいて、前記調整動作を行う、
ことを特徴とする画像形成装置。
【請求項２】
前記先読み情報取得部が、現在実行中の前記印刷ジョブの後続の印刷情報に基づいて、後続の平均画像密度を算出し、前記平均画像密度が予め定めた画像密度以上である場合に、前記調整動作手段による前記調整動作を回避する、
ことを特徴とする請求項１に記載の画像形成装置。
【請求項３】
トナー像が形成される像保持体上に残留するトナーを除去するクリーニング手段を備え、
前記調整動作は、前記像保持体上の画像形成領域以外に前記クリーニング手段との摩擦抵抗を低減させるトナー像を帯状に形成する、
ことを特徴とする請求項１又は２に記載の画像形成装置。
【請求項４】
コンピュータに
印刷ジョブを受信する受信機能と、
画像形成処理の実行中に、前記画像形成処理を継続するための調整動作を行う調整動作機能と、
前記画像形成処理の実行中に、前記調整動作を要求する調整動作制御機能と、
前記画像形成処理の実行中に、前記印刷ジョブの後続の印刷情報を取得する先読み情報取得機能と、
先読み情報取得機能により取得した前記後続の前記印刷情報に基づいて、前記調整動作を行う機能、
を実現するためのプログラム。
【発明の詳細な説明】
【技術分野】
【０００１】
本発明は、画像形成装置及びプログラムに関する。
【背景技術】
【０００２】
画像形成処理が中断するまでの残りの画像形成数を特定し、特定された画像形成数が予め定めた数以下である場合に、画質調整実施判定部が、画像形成処理の実行中に、画像形成処理で形成する画像の画質を調整する調整処理の実施を回避する画像形成装置が知られている（特許文献１）。
【先行技術文献】
【特許文献】
【０００３】
【特許文献１】特開２０１１−００５６７１号公報
【発明の概要】
【発明が解決しようとする課題】
【０００４】
本発明は、印刷ジョブの実行を待機または中断させて行う画像形成処理を継続するための調整動作の実施による生産性の低下を抑制し、画質維持及び部材保護を行うことができる画像形成装置を提供することを目的とする。
【課題を解決するための手段】
【０００５】
前記課題を解決するために、請求項１記載の画像形成装置は、
印刷ジョブを受信する受信手段と、
画像形成処理の実行中に、前記印刷ジョブの実行を待機または中断させて前記画像形成処理を継続するための調整動作を行う調整動作手段と、
前記画像形成処理の実行中に、前記調整動作を要求する調整動作制御部と、
前記画像形成処理の実行中に、前記印刷ジョブの後続の印刷情報を取得する先読み情報取得部と、を備え、
前記調整動作制御部が前記調整動作の要求を発した際に、前記調整動作手段が前記先読み情報取得部が取得した前記後続の前記印刷情報に基づいて、前記調整動作を行う、
ことを特徴とする。
【０００６】
請求項２記載の画像形成装置は、請求項１記載の画像形成装置において、
前記先読み情報取得部が、現在実行中の前記印刷ジョブの後続の印刷情報に基づいて、後続の平均画像密度を算出し、前記平均画像密度が予め定めた画像密度以上である場合に、前記調整動作手段による前記調整動作を回避する、
ことを特徴とする。
【０００７】
請求項３記載の画像形成装置は、請求項１又は２に記載の画像形成装置において、
トナー像が形成される像保持体上に残留するトナーを除去するクリーニング手段を備え、
前記調整動作は、前記像保持体上の画像形成領域以外に前記クリーニング手段との摩擦抵抗を低減させるトナー像を帯状に形成する、
ことを特徴とする。
【０００８】
前記課題を解決するために、請求項４記載のプログラムは、
コンピュータに
印刷ジョブを受信する受信機能と、
画像形成処理の実行中に、前記画像形成処理を継続するための調整動作を行う調整動作機能と、
前記画像形成処理の実行中に、前記調整動作を要求する調整動作要求機能と、
前記画像形成処理の実行中に、前記印刷ジョブの後続の印刷情報を取得する先読み情報取得機能と、
先読み情報取得機能により取得した前記後続の前記印刷情報に基づいて、前記調整動作を行う機能、を実現する、
ことを特徴とする。
【発明の効果】
【０００９】
本発明によれば、印刷ジョブの実行を待機または中断させて行う画像形成処理を継続するための調整動作の実施による生産性の低下を抑制して、画質維持及び部材保護を行うことができる。
【図面の簡単な説明】
【００１０】
【図１】画像形成装置１の概略構成の一例を示す断面模式図である。
【図２】画像形成装置１の機能構成の一例を示すブロック図である。
【図３】（ａ）は画像形成処理中に、低画像密度の印刷ジョブが連続して、トナーバンド形成のための調整動作が行われる場合の画像形成動作の流れを示した模式図、（ｂ）はトナーバンド形成のための調整動作の後続の印刷ジョブの画像形成データを先読み情報取得機能で取得する流れを示した模式図である。
【図４】システム制御部１１が行う調整動作の流れを示すフローチャートである。
【発明を実施するための形態】
【００１１】
次に図面を参照しながら、以下に実施形態及び実施例を挙げ、本発明を更に詳細に説明するが、本発明はこれらの実施形態及び実施例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１２】
（１）画像形成装置の全体構成及び動作
（１．１）画像形成装置の全体構成
図１は本実施形態に係る画像形成装置の概略構成の一例を示す断面模式図である。
画像形成装置１は、画像形成部１０と、画像形成部１０の一端に装着された用紙送り装置２０と、画像形成部１０の他の一端に設けられ、印刷された用紙Ｐが排紙される排紙部３０と、操作情報部４０と、上位機器から送信された印刷情報から画像イメージを生成する画像処理部５０と、を備えて構成されている。
【００１３】
画像形成部１０は、システム制御部１１、露光装置１２、感光体ユニット１３、現像装置１４、転写装置１５、用紙搬送装置１６ａ、１６ｂ、１６ｃ、定着装置１７、とを備えて構成され、画像処理部５０から受け取った画像情報を、用紙送り装置２０から送り込まれた用紙上にトナー画像として形成する。
【００１４】
用紙送り装置２０は、画像形成部１０に対する用紙供給を行う。すなわち、種類（例えば、材質や厚さ、用紙サイズ、紙目）の異なる用紙Ｐを収容する複数のトレイを備えており、これら複数のトレイのいずれか一つから繰り出した用紙Ｐを画像形成部１０に対して供給するように構成されている。
【００１５】
排紙部３０は、画像形成部１０にて画像出力が行われた用紙Ｐの排出を行う。そのために、排紙部３０は、画像出力後の用紙Ｐが排出される排紙トレイを備えている。なお、排紙部３０は、画像形成部１０から出力される用紙束に対して、裁断やステープル（針綴じ）等の後処理を行う機能を有したものであってもよい。
【００１６】
画像形成部１０には、操作情報部４０が設けられている。操作情報部４０は、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００１７】
（１．２）画像形成部の構成及び動作
このような構成の画像形成装置１では、画像形成のタイミングに合わせて用紙送り装置２０のうち、印刷ジョブで印刷の１枚毎に指定されたトレイから繰り出された用紙Ｐが画像形成部１０へ送り込まれる。
【００１８】
感光体ユニット１３は、露光装置１２の下方（Ｚ方向）に、それぞれが並列して設けられ、回転駆動する像保持体としての感光体ドラム１３１を備えている。感光体ドラム１３１の回転方向にそって、帯電器１３２、露光装置１２、現像装置１４、一次転写ローラ１５２、クリーニングブレード１３４が配置されている。
【００１９】
現像装置１４は、内部に現像剤が収容される現像ハウジング１４１を有する。現像ハウジング１４１内には、感光体ドラム１３１に対向して配置された現像ローラ１４２が配設され、現像ローラ１４２には、現像剤の層厚を規制する層規制部材（不図示）が近接配置されている。
現像装置１４各々は、現像ハウジング１４１に収容される現像剤を除いて略同様に構成され、それぞれがイエロー（Ｙ）、マゼンタ（Ｍ）、シアン（Ｃ）、黒（Ｋ）のトナー像を形成する。
【００２０】
回転する感光体ドラム１３１の表面は、帯電器１３２により帯電され、露光装置１２から出射する潜像形成光により静電潜像が形成される。感光体ドラム１３１上に形成された静電潜像は現像ローラ１４２によりトナー像として現像される。
【００２１】
転写装置１５は、各感光体ユニット１３の感光体ドラム１３１にて形成された各色トナー像が多重転写される中間転写ベルト１５１、各感光体ユニット１３にて形成された各色トナー像を中間転写ベルト１５１に順次転写（一次転写）する一次転写ローラ１５２を備えている。さらに、中間転写ベルト１５１上に重畳して転写された各色トナー像を記録媒体である用紙に一括転写（二次転写）する二次転写ローラ１５３、とから構成されている。
【００２２】
各感光体ユニット１３の感光体ドラム１３１に形成された各色トナー像は、システム制御部１１により制御される電源装置等（不図示）から所定の転写電圧が印加された一次転写ローラ１５２により中間転写ベルト１５１上に順次静電転写（一次転写）され、各色トナーが重畳された重畳トナー像が形成される。
中間転写ベルト１５１上の重畳トナー像は、中間転写ベルト１５１の移動に伴って二次転写ローラ１５３が配置された領域（二次転写部ＴＲ）に搬送される。重畳トナー像が二次転写部ＴＲに搬送されると、そのタイミングに合わせて用紙送り装置２０から用紙Ｐが二次転写部ＴＲに供給される。そして、二次転写ローラ１５３には、システム制御部１１により制御される電源装置等から所定の転写電圧が印加され、用紙Ｐに中間転写ベルト１５１上の多重トナー像が一括転写される。
【００２３】
感光体ドラム１３１表面の残留トナーは、クリーニングブレード１３４により除去され、廃トナー収容部（不図示）に回収される。感光体ドラム１３１の表面は、帯電器１３２により再帯電される。
【００２４】
定着装置１７は一方向へ回転する無端状の定着ベルト１７１と、定着ベルト１７１の周面に接し、一方向へ回転する加圧ローラ１７２と、を有し、定着ベルト１７１と加圧ローラ１７２の圧接領域によってニップ部Ｎ（定着領域）が形成される。
転写装置１５においてトナー像が転写された用紙Ｐは、トナー像が未定着の状態で用紙搬送装置１６ａを経由して定着装置１７に搬送される。定着装置１７に搬送された用紙Ｐは、一対の定着ベルト１７１と加圧ローラ１７２により、圧着と加熱の作用でトナー像が定着される。
【００２５】
定着の終了した用紙Ｐは、用紙搬送装置１６ｂに設けられた画像読み取り装置１８を通過し、排紙部３０に送り込まれる。
用紙Ｐの両面に画像出力を行う場合には、用紙搬送装置１６ｃにより当該用紙Ｐの表裏が反転され、再び画像形成部１０における二次転写部ＴＲへ送り込まれる。そして、トナー像の転写および転写像の定着が行われた後に、排紙部３０に送り込まれることになる。排紙部３０へ送り込まれた用紙Ｐは、必要に応じて裁断やステープル（針綴じ）等の後処理を経た後に、排紙トレイ上へ排出される。
【００２６】
（１．３）画像形成装置のブロック構成
図２は本実施形態に係る画像形成装置１の機能構成の一例を示すブロック図である。
図例のように、本実施例の画像形成装置１は、印刷ジョブのデータに基づいて画像形成用データ（以降、イメージデータと記す）を生成する画像処理部５０と、画像形成部１０の動作制御を行うシステム制御部１１と、印刷ジョブの実行を待機または中断させて画像形成処理を継続するための調整動作の要求を行う調整動作制御部１０２と、印刷ジョブの後続の印刷情報を取得する先読み情報取得部１０３と、先読み情報に基づく平均画像密度データに基づいて調整動作が必要か否か判定する調整動作実施判定部１０４と、を備えている。
【００２７】
システム制御部１１は、ＣＰＵ（Central  Processing  Unit）、ＲＡＭ（Random  Access  Memory）、ＲＯＭ（Read  Only  Memory）、ＨＤＤ（Hard  Disc  Drive）等の組み合わせからなり、メモリに記憶された制御プログラムを実行して、画像形成部１０の動作制御を行う。
また、システム制御部１１は、画像形成装置１が備える操作情報部４０で入力された処理要求、または、通信ネットワーク８１を介して接続するホストコンピュータ８２で入力された処理要求を認識して、その処理要求を受け付けるようになっている。
そして、印刷ジョブのデータに基づいてイメージデータを生成する画像処理部５０へイメージデータ転送要求を行い、画像処理部５０からイメージデータ転送準備完了通知を受けて画像形成処理に必要な画像形成部１０の動作を制御する。
【００２８】
（２）画像形成装置の調整動作
以下、本実施形態に係る画像形成装置１における画質維持や部材保護のために行う調整動作の一例としてトナーバンド作成について説明する。
【００２９】
（２．１）トナーバンド作成
画像形成装置１において、画像形成部１０では、用紙Ｐへの転写を目的としないトナー像も形成される。具体的には、感光体ドラム１３１のクリーニングブレード１３４の保護や現像装置１４内の劣化トナーの排出の為に帯状のトナー像が形成される。
例えば、低密度画像が連続的に続いた場合には現像装置１４内のトナー消費が少ない為に現像剤が劣化したり、感光体ドラム１３１とクリーニングブレード１３４との接触部分、及び、中間転写ベルト１５１と中間転写ベルトクリーナ（不図示）との接触部分で潤滑材の役割を果たすトナーが極度に不足して摩擦力が大きくなりクリーニングブレード１３４や中間転写ベルトクリーナが捲れてしまう虞がある。
【００３０】
そのために、例えば、１枚目のトナー画像と２枚目のトナー画像との間に存在する空白の領域に対応する感光体ドラム１３１上の領域に帯状のトナー画像（以下、トナーバンドと記す）を形成することが行われる。このトナーバンドは、用紙Ｐに転写されることはなく、最終的にはクリーニングブレード１３４によって掻き落とされるが、この掻き落としの際に、トナーに含まれる潤滑成分による潤滑性が、感光体ドラム１３１とクリーニングブレード１３４との間に与えられる。この潤滑性により、感光体ドラム１３１とクリーニングブレード１３４との間における滑り性が向上し、摩擦抵抗の増大が抑制される。
【００３１】
なお、感光体ドラム１３１にトナーバンドを形成することで、中間転写ベルト１５１に設けられる中間転写ベルトクリーナ（不図示）にトナーを供給し、同様に、中間転写ベルト１５１の摩耗や傷を抑制することができ、かつ良好なクリーニング性を確保することができる。
又、一次転写ローラ１５２への転写電圧を調整して感光体ドラム１３１と中間転写ベルト１５１のそれぞれへバランスよくトナーバンドを供給することも可能となる。
更に又、トナーバンドの形成動作によって、現像装置１４内の劣化トナーの排出が促進されて、現像剤の劣化が抑制される。
【００３２】
図３（ａ）は画像形成処理中に、低画像密度の印刷ジョブが連続して、トナーバンド形成のための調整動作が行われる場合の画像形成動作の流れを示した模式図、図３（ｂ）はトナーバンド形成のための調整動作の後続の印刷ジョブの画像形成データを先読み情報取得機能で取得する流れを示した模式図である。
トナーバンドは、通常印刷を行いながら連続する用紙と用紙の間に形成される場合と、通常印刷を中断して、すなわち用紙間を空けて形成される場合があり、用紙間を空けて形成される場合は画像形成の生産性が低下してしまうという課題があった（図３（ａ）参照）。
【００３３】
本実施形態に係る画像形成装置１においては、調整動作実施判定部１０４は、調整動作制御部１０２がトナーバンド形成要求を発した際に、先読み情報取得部１０３が取得した後続の印刷情報に含まれる画像密度に基づいて、トナーバンド形成を行うか回避するかを判定する。
【００３４】
以下、システム制御部１１の動作について図面を参照しながら説明するが、先に後続の印刷情報を取得する先読み情報取得機能について説明する。
【００３５】
（２．２）先読み情報取得機能
一般に、入出力デバイスがメモリに記憶されているデータを読み出す場合に、データの転送性能を高めるため、データ転送装置にプリフェッチ（先読み）機構を設けたシステムが従来から知られている。このようなシステムでは、システムバスとメモリとの間に、プリフェッチ機構を有するデータ転送装置を設けている。
そして、システムバス上の入出力デバイスからメモリに対し、あるアドレスについてのリードアクセスがあった場合、データ転送装置は、入出力デバイスの要求サイズ以上のデータをメモリから読み込む。データ転送装置は、読み込んだデータのうち要求サイズ分だけを入出力デバイスに転送し、残りの部分はプリフェッチバッファに格納する。このプリフェッチバッファへの格納処理は、バックグラウンドで行われる。
【００３６】
そして、入出力デバイスから連続して次のアドレスへのリードアクセスがあった場合、データ転送装置は、プリフェッチバッファ内に格納済みのそのアドレスのデータを入出力デバイスに転送する。
一般的に、メモリからデータを読み出すよりも、プリフェッチバッファからデータを読み出す方が速いので、プリフェッチ（先読み）機構を設けたシステムでは、入出力デバイスから見かけ上高速にリードアクセスを行うことができる。
【００３７】
プリフェッチバッファを用いてＤＭＡ（Direct
Memory Access）転送を行う技術は、画像形成処理を行う画像形成装置１に適用することができる。
画像形成装置１が備えるシステム制御部１１は、制御や演算を行うＣＰＵ（Central  Processing  Unit）、画像データ等を一時的に記憶するＲＡＭ（Random  Access  Memory）、ＲＯＭ（Read  Only  Memory）、印刷すべき画像データ等を記憶するＨＤＤ（Hard  Disc  Drive）等の組み合わせからなり、メモリに記憶された制御プログラムを実行して、画像形成部１０の動作制御を行い、画像処理部５０との間で画像データの転送を行っている。
【００３８】
プリフェッチバッファを用いてＤＭＡ転送を行う技術を画像形成装置１に適用した場合、後続の印刷ジョブに含まれる画像データの一例としてＹ（ｙｅｌｌｏｗ）、Ｍ（ｍａｇｅｎｔａ）、Ｃ（ｃｙａｎ）、Ｋ（ｂｌａｃｋ）の各色の画像密度情報をプリフェッチバッファに格納することができる。
尚、各色のプリフェッチバッファは、後続の印刷ジョブの印刷枚数に応じて、その必要とされる容量が設定される。
システム制御部１１は、現在のジョブに係る画像形成処理の動作を実行しながら、プリフェッチバッファから後続の印刷ジョブに含まれる必要な画像密度情報を取得することができる。
【００３９】
（２．３）調整動作
図４は、システム制御部１１が行う調整動作の流れを示すフローチャートである。
システム制御部１１は、画像形成処理を開始すると、まず、図４に示すように、印刷ジョブに含まれる画像データからジョブごとのピクセルカウント数を取得する（Ｓ１０１）。
そして、システム制御部１１は取得されたピクセルカウント数からジョブごとの「平均画像密度Ａ１」を算出する（Ｓ１０２）。具体的には、取得されたピクセルカウント数の積算値をジョブの印刷枚数で除して、ジョブごとの「平均画像密度Ａ１」を算出する。
【００４０】
次に、ジョブごとに算出した「平均画像密度Ａ１」が「トナーバンド閾値Ｂ０」よりも値が小さいか否かを判定する（Ｓ１０３）。
ここで、判定は次のように行う。まず、クリーニングブレード１３４へ供給するに望まれるトナーの供給量を、予め設定しておき、係るトナーの供給量が供給される場合の平均画像密度を「トナーバンド閾値Ｂ０」と定める。
【００４１】
そして、算出した「平均画像密度Ａ１」が、「トナーバンド閾値Ｂ０」よりも値が小さいと判定された場合（Ｓ１０３：Ｙｅｓ）、調整動作制御部１０２は、調整動作手段としてのシステム制御部１１に対してトナーバンド形成の要求を行う（Ｓ１０４）。
トナーバンド形成要求を受けたシステム制御部１１は、先読み情報取得部１０３を介して、現在処理されているジョブの後続のジョブに含まれる印刷枚数及び画像密度情報を取得する（Ｓ１０５）。
【００４２】
次に、先読み情報取得部１０３で取得された後続のジョブの印刷枚数と画像密度情報をもとに「平均画像密度Ａ２」を算出し、記憶部（ＲＡＭ）に記憶する（Ｓ１０６）。
【００４３】
そして、調整動作実施判定部１０４は、算出された「平均画像密度Ａ２」と、予め定められた画質調整が必要な「トナーバンド閾値Ｂ０」との差分を算出し（Ｓ１０７）、調整動作を回避するか否か判断する（Ｓ１０８）。
【００４４】
調整動作が必要な値になっている場合（Ｓ１０８；Ｙｅｓ）は、画像形成装置１は調整動作としてのトナーバンド形成を実施する（Ｓ１０９）。
トナーバンド形成としては、具体的には、「平均画像密度Ａ１」に応じた潜像を感光体ドラム１３１表面に露光装置１２によって形成し、さらに、現像装置１４で現像することによりトナーバンドを形成し、これを用紙Ｐに転写せずそのままクリーニングブレード１３４及び必要に応じて中間転写ベルト１５１に供給する。
【００４５】
一方、調整動作が必要な値になっていない場合（Ｓ１０８；Ｎｏ）は、画像形成装置１は調整動作としてのトナーバンド形成を回避し、そのまま画像形成処理を継続する（Ｓ１１０）。
【００４６】
尚、先読み情報としての後続のジョブの印刷枚数が変更された場合（Ｓ１１１：Ｙｅｓ）には、システム制御部１１は、変更された印刷枚数に基づいて、再度、「平均画像密度Ａ２」を算出し（Ｓ１０６）、予め定められた画質調整が必要な「トナーバンド閾値Ｂ０」との差分を算出し（Ｓ１０７）、調整動作を回避するか否か判断する（Ｓ１０８）。
【００４７】
（３）作用・効果
本実施形態に係る画像形成装置１においては、トナーバンド形成条件が成立した際に、先読み情報取得部１０３が取得した後続の印刷情報に含まれる画像密度に基づいて、トナーバンド形成を行うか回避するかを判定する。
後続の印刷ジョブの「平均画像密度Ａ２」が「トナーバンド閾値Ｂ０」よりも値が大きい場合には、係る後続のジョブの印刷が実行されることで、クリーニングブレード１３４への十分なトナー供給が予測され、トナーを供給する必要が無く、トナーバンドを形成することなく、次の印刷ジョブを継続して実行する。
そのために、調整動作の実施による生産性の低下を防止し、画質維持及び部材保護を行うことができる。
【００４８】
尚、「平均画像密度Ａ２」が「トナーバンド閾値Ｂ０」よりも値が小さい場合には、クリーニングブレード１３４へのトナーの供給が不十分であるため、トナーを供給する必要があり、トナーバンドを形成して、画質維持及び部材保護を行うことができる。
そして、トナーバンドを形成する場合には、「トナーバンド閾値Ｂ０」から「平均画像密度Ａ１」を除して、両者の差分が算出され、係る差分に見合った画像の書き込み（潜像形成及び現像）を用紙間又は用紙間を空けて行い、必要な量のトナーをクリーニングブレード１３４へ供給することができるように、感光体ドラム１３１の表面にトナーバンドを形成する。
【００４９】
本実施形態に係る画像形成装置１においては、ジョブごとに積算したピクセルカウント数をジョブの印刷枚数で除して、ジョブごとの「平均画像密度Ａ１」として算出する具体例について説明したが、画像情報から感光体ドラム１３１の主走査方向（軸方向）の１ラインごとにピクセルカウント数の積算値を取得して、例えば、感光体ドラム１３１の１周単位での「平均画像密度Ａ１」を算出しても良い。
感光体ドラム１３１の１周単位での「平均画像密度Ａ１」に基づいて、トナーバンド形成を行うか回避するかを判定することで、画質維持及び部材保護をより適切に行うことができる。
【００５０】
又、本実施形態に係る画像形成装置１としては、中間転写ベルトを用いたタンデム型のカラープリンタとして説明したが、中間転写ベルトを有しない直接転写型の画像形成装置であってもよい。
尚、本願明細書中において、プログラムが予めインストールされている実施形態として説明したが、当該プログラムをＣＤ−ＲＯＭ等の記憶媒体に格納して提供することも可能であり、電気通信回線等のネットワークに接続されているサーバ装置等から画像形成装置内の記憶部にダウンロードしてもよい。
【符号の説明】
【００５１】
１・・・画像形成装置
１０・・・画像形成部
１１・・・システム制御部
１０２・・・調整動作制御部
１０３・・・先読み情報取得部
１０４・・・調整動作実施判定部
１０５・・・露光制御部
１０６・・・電源制御部
１０７・・・搬送制御部
１０８・・・駆動制御部
１２・・・露光装置
１３・・・感光体ユニット
１４・・・現像装置
１５・・・転写装置
１６ａ、１６ｂ、１６ｃ・・・用紙搬送装置
１７・・・定着装置
１８・・・駆動装置
２０・・・用紙送り装置
２１・・・制御部（用紙送り装置）
２２・・・トレイ制御部（用紙送り装置）
７２・・・用紙搬送部（用紙送り装置）
３０・・・排紙部
４０・・・操作情報部
５０・・・画像処理部
８０・・・通信ケーブル
８１・・・通信回線
８２・・・ホストコンピュータ
【図１】
2014077828.tif 000003
【図２】
2014077828.tif 000004
【図３】
2014077828.tif 000005
【図４】
2014077828.tif 000006